(57)【要約】      （修正有）【課題】埋設タンクに限らず、地上用タンク、縦置き型タンク等の溶剤タンクにＦＲＰ施工を施して、容易にタンク内を耐溶剤性材料で保護し、溶剤漏れを防止できる溶剤タンクを提供する。【解決手段】既存の鋼製タンク１３と、鋼製タンクの内周に設けられ、鋼製タンクからの溶剤漏れを防止する繊維強化複合材１４（ＦＲＰ）と、を備える。【選択図】図２
0003200043.tif 000002
【実用新案登録請求の範囲】
【請求項１】
既存の鋼製タンクと、
該鋼製タンクの内周に設けられ、該鋼製タンクからの溶剤漏れを防止する繊維強化複合材と、
を備えることを特徴とする溶剤タンク。
【請求項２】
地上又は地下に設けられていることを特徴とする請求項１に記載の溶剤タンク。
【請求項３】
前記溶剤はトルエン、又はキシレン、又はアルコールであることを特徴とする請求項１、又は２に記載の溶剤タンク。
【請求項４】
鋼製タンクと、
該鋼製タンクの内側に形成された繊維強化複合材と、
を備えることを特徴とする溶剤タンク。
【請求項５】
地上又は地下に設けられていることを特徴とする請求項４に記載の溶剤タンク。
【請求項６】
前記溶剤はトルエン、又はキシレン、又はアルコールであることを特徴とする請求項４、又は５に記載の溶剤タンク。
【考案の詳細な説明】
【技術分野】
【０００１】
本考案はトルエンや、キシレン、アルコール等の有機溶剤を貯留する溶剤タンクに関する。
【背景技術】
【０００２】
近年、炭酸ガス等の有害物質を排出しない燃料電池自動車（ＦＣＶ（Fuel Cell Vehicle））の開発が盛んに行なわれている。燃料電池自動車は水素を燃料とし、搭載する燃料電池によって空気中の酸素と反応させて発電を行ない、電動機（モータ）を駆動して車を走行させる。
【０００３】
このような燃料電池自動車は上記のように燃料として水素を使用するが、水素ボンベを搭載する場合、重量や安全性の問題から、有機溶剤を搭載し、改質水素器を使用して水素を生成する改質型燃料電池を使用する方法が検討されている。
【０００４】
このような燃料電池自動車では、燃料としてトルエンや、キシレン、メチルアルコール等の溶剤を使用する。したがって、このような溶剤を燃料電池自動車に供給する必要があるが、既存のガソリンスタンドの埋設タンクでは対応できない。この為、埋設タンクの内側を耐溶剤性材料で保護する必要がある。
尚、特許文献１にはこのような場合の燃料タンクの補修方法を開示する。
【先行技術文献】
【特許文献】
【０００５】
【特許文献１】特開２００２−２１１６８５号公報
【考案の概要】
【考案が解決しようとする課題】
【０００６】
しかしながら、上記従来の補修方法では、検査用の治具をタンクに合わせて制作しなければならず、装置が大がかりになり、作業性も悪い。
【０００７】
そこで、本考案は埋設タンクに限らず、地上用タンク、縦置き型タンク等の溶剤タンクにＦＲＰ施工を提案するものであり、容易にタンク内を耐溶剤性材料で保護できる溶剤タンクを提案するものである。
【課題を解決するための手段】
【０００８】
上記課題を解決するため第１の考案は、既存の鋼製タンクと、該鋼製タンクの内周に設けられ、該鋼製タンクからの溶剤漏れを防止する繊維強化複合材と、を備える溶剤タンクを提供することによって達成できる。
【０００９】
また、上記課題を解決するため第２の考案は、地上又は地下に設けられていることを特徴とする。また、上記溶剤はトルエン、又はキシレン、又はアルコールであることを特徴とする。
【００１０】
また、上記課題を解決するため第３の考案は、鋼製タンクと、該鋼製タンクの内側に形成された繊維強化複合材と、を備える溶剤タンクを提供することによって達成できる。
【考案の効果】
【００１１】
本考案によれば、埋設タンクに貯留されるメチルアルコールや、トルエン、ガソリン等の溶剤は耐溶剤性のフィルム又は耐溶剤性のＦＲＰに接触するので、溶剤を変質させることがなく、常に劣化のない溶剤を燃料電池自動車に供給することができる。
【図面の簡単な説明】
【００１２】
【図１】本実施形態の溶剤タンクの例を示す図である。
【図２】本実施形態の溶剤タンクの断面図を示す図である。
【図３】他の実施形態の溶剤タンクの例を示す図である。
【考案を実施するための形態】
【００１３】
以下、本考案の実施形態について、図面を参照しながら詳細に説明する。
図１は本実施形態の溶剤タンクの例を示す図である。溶剤タンク１には、例えばトルエンや、キシレン、アルコール等の溶剤を注入する注油管２、溶剤タンク１から溶剤を吸引する給油管３、溶剤タンク１の通気を行う通気管４、及び溶剤タンク１に貯蔵された溶剤の液面高を計測する不図示の液面計が設けられている。また、溶剤タンク１は地表から所定の深さに埋設され、溶剤タンク１上にはコンクリート５が施設されている。
【００１４】
注油管２には地表に注油口６が設けられ、注油口６から溶剤の注油が行なわれる。また、給油管３には地表に計量器、ポンプ等の機器類７が設けられ、溶剤タンク１から溶剤を吸引し、吸引する溶剤の計量を行う。また、上記注油管２には不図示のバルブが設けられ、給油管３にも不図示のバルブが設けられ、溶剤タンク１の補修／改修作業の際、このバルブを共に閉鎖して行う。尚、通気管４には不図示の通気口が設けられ、溶剤タンク１内で発生するガスを排出する。
【００１５】
図２は、溶剤タンク１の断面構成を示す図であり、図１に示す溶剤タンク１のA−A´断面を示す図である。同図に示すように、埋設タンク１は鋼板１３で構成され、この鋼板１３の内側にＦＲＰ（繊維強化複合材）１４が塗布される。溶剤タンク１内にはトルエンや、キシレン、アルコール等の溶剤１５が収納されている。
【００１６】
ＦＲＰ１４は、例えばマット状の強化剤にノボラック系ビニルエステル樹脂を塗布し、塗布ロール等によって所定の厚さに成形されている。強化剤としては、例えばガラス繊維や、カーボン繊維、ボロン繊維、玄武岩繊維等の無機繊維や、ナイロン繊維、ポリエステル繊維、アラミド繊維、液晶繊維等の有機繊維が使用され、マット状のみならず、クロス状、又は不織布等の形態の強化剤を使用することもできる。
【００１７】
また、ＦＲＰ１４の積層方法として上記ハンドレイアップ積層方法の他に、例えばスプレイによって強化剤に樹脂を塗布するスプレイアップ積層方法を採用することもできる。
【００１８】
次に、上記構成の溶剤タンク１の製造方法を具体的に説明する。先ず、地下タンク内の可燃ガスの測定を行い、内部のガス濃度、漏れ油の有無のチェックを行う。次に、地下タンク内の安全を確認し、地下タンク内の油の抜き取り作業を行う。この作業は、例えば注給管３からホースを挿入し、タンク内の油を抜き取る。
【００１９】
次に、タンク内に水を張りオイル吸収材を散布し、タンク及び各配管の水圧テストを行う。尚、配管が地上部に存在する場合、この水圧テストを省いてもよい。
【００２０】
次に、タンクの開口作業を行う。ここで、タンクに開口部がない場合、タンクに開口を形成するが、本例では既にメンテナンス開口部が形成されているものとして説明する。したがって、開口部の蓋を開けることによってタンクを開口することができる。
【００２１】
次に、タンク内のクリーニング作業を行い、タンク内の点検を行う。次に、タンクの補修、改修処理を行う。尚、この場合、修理部材の選定、改修方法、保全対策等、工期を含めた総合判断のもと、その状況に応じて具体的な改修計画を立てる。
【００２２】
次に、タンクの内側にＦＲＰライニング施工を行う。具体的には前述のように、例えばマット状の強化剤にノボラック系ビニルエステル樹脂を塗布し、塗布ロール等によって所定の厚さに成形する。強化剤としては、例えばガラス繊維や、カーボン繊維、ボロン繊維、玄武岩繊維等の無機繊維や、ナイロン繊維、ポリエステル繊維、アラミド繊維、液晶繊維等の有機繊維が使用され、マット状のみならず、クロス状、又は不織布等の形態の強化剤を使用することもできる。
【００２３】
このＦＲＰの塗布作業によって、溶剤タンク１の内周面には全面にＦＲＰが形成され、その後、復旧作業を行い、溶剤タンク１の全ての開口部の密封作業、メンテナンス開口部の蓋締め作業を行う。
【００２４】
以上のように処理することによって、溶剤タンク１に貯留されるトルエンや、キシレン、アルコール等の溶剤は耐溶剤性ＦＲＰに接触するので、溶剤を変質させることがなく、常に劣化のない溶剤をタンクから供給することができる。
【００２５】
尚、上記実施形態の説明では埋設された溶剤タンクについて説明したが、地上に設置された溶剤タンクでも同様に実施することができる。
【００２６】
図３は地上に置かれた縦置き型の溶剤タンクの例を示す図である。尚、本例の縦置き型の溶剤タンク１７の場合にも、給油口１８及び注給口１９が設けられ、給油口１８からトルエンや、キシレン、アルコール等の溶剤が溶剤タンク１７に給油され、注給口１９からトルエンや、キシレン、アルコール等の溶剤が外部に注油される。尚、溶剤タンク１７は地上に複数の脚２０によって設置されている。
【００２７】
また、図示しないが、溶剤タンク１７内にはトルエンや、キシレン、アルコール等の溶剤が収納され、その内面構造は前述の溶剤タンク１と同様、鋼板の内側にＦＲＰ（繊維強化複合材）１４が形成された構造である。また、ＦＲＰ１４の積層方法としてもハンドレイアップ積層方法の他に、スプレイによって強化剤に樹脂を塗布するスプレイアップ積層方法を採用することもできる。
【００２８】
以上のように処理することによって、地上に設置された溶剤タンク１７においても、貯留されるトルエンや、キシレン、アルコール等の溶剤は耐溶剤性ＦＲＰに接触するので、溶剤を変質させることがなく、常に劣化のない溶剤を提供することができる。
【符号の説明】
【００２９】
１・・・溶剤タンク
２・・・注油管
３・・・給油管
４・・・通気管
５・・・コンクリート
６・・・給油口
７・・・注油口
１３・・鋼板
１４・・ＦＲＰ（繊維強化複合材）
１５・・溶剤
１７・・溶剤タンク
１８・・給油口
１９・・注油口
２０・・脚
【図１】
0003200043.tif 000003
【図２】
0003200043.tif 000004
【図３】
0003200043.tif 000005
【手続補正書】
【提出日】平成27年7月14日(2015.7.14)
【手続補正１】
【補正対象書類名】明細書
【補正対象項目名】０００２
【補正方法】変更
【補正の内容】
【０００２】
今日、トルエンや、キシレン、スチレン等の有機溶剤は、塗装や、洗浄、印刷等の作業に広く使用されて いる。例えば、トルエンはペンキや、塗料用シンナー、印刷用インク、接着剤等の溶剤として広く使用され、キシレンも接着剤や塗料等の溶剤として使用されると共に、医学や生物の分野で組織の切片標本の作製の際、組織を包埋するパラフィン等の希釈剤としても使用されている。
【手続補正２】
【補正対象書類名】明細書
【補正対象項目名】０００３
【補正方法】変更
【補正の内容】
【０００３】
さらに、ベンゼンや、メタン、アルコール、エタン、エチレン、エーテル、ケトン等、各種の有機溶剤が工業用の溶媒として使用され、これらの有機溶剤は専用の容器やタンクに貯留されている。尚、近年炭酸ガス等の有害物質を排出しない燃料電池自動車（ＦＣＶ（Fuel Cell Vehicle））の開発も盛んに行なわれ、水素ボンベを搭載する場合の重量や安全性の問題から、有機溶剤を使用する方法が検討されている。
【手続補正３】
【補正対象書類名】明細書
【補正対象項目名】０００４
【補正方法】変更
【補正の内容】
【０００４】
しかし、上記のように多くの用途に使用される有機溶剤の容器（溶剤タンク）は、内側を耐溶剤性材料で保護する必要がある。尚、特許文献１にはこのような場合の既存の燃料タンクを改修する方法が開示されている。
【手続補正４】
【補正対象書類名】明細書
【補正対象項目名】００１１
【補正方法】変更
【補正の内容】
【００１１】
本考案によれば、埋設タンクに貯留されるメチルアルコールや、トルエン、ガソリン等の溶剤は耐溶剤性のフィルム又は耐溶剤性のＦＲＰに接触するので、溶剤を変質させることがない。
【手続補正５】
【補正対象書類名】明細書
【補正対象項目名】００２８
【補正方法】変更
【補正の内容】
【００２８】
以上のように処理することによって、地上に設置された溶剤タンク１７においても、貯留されるトルエンや、キシレン、アルコール等の溶剤は耐溶剤性ＦＲＰに接触するので、溶剤を変質させることがなく、常に劣化のない溶剤を提供することができる。
また、上記説明では溶剤タンク１７内にトルエンや、キシレン、アルコールの溶剤が収納される例について説明したが、例えばスチレンや、ベンゼン、メタン、エタン、エチレン、エーテル、ケトン等の他の溶剤を貯留する溶剤タンクについても同様に本発明を実施できることは勿論である。